(57)【要約】【課題】被検者に対する処置において医療従事者にかかる負担を軽減することができる生体情報モニタ装置を提供する。【解決手段】表示部６と、被検者の生体情報を測定する測定部２と、所定の時刻からの経過時間を計測する計測部３と、被検者の容体に関連する複数のイベントを含むイベントリストを記録する記録部４と、各部の動作を制御する制御部７とを備え、表示部６は、測定部２により測定された生体情報を表示する第１領域１１と、複数のイベントを表示する第２領域１２と、経過時間を表示する第３領域１３とを有し、制御部７は、実施が完了したイベントを第２領域１２から削除した後、第２領域１２に表示されていなかったイベントを第２領域１２に表示する。【選択図】図１
2015084876.tif 000002
【特許請求の範囲】
【請求項１】
表示部と、
被検者の生体情報を測定する測定部と、
所定の時刻からの経過時間を計測する計測部と、
前記被検者の容体に関連する複数のイベントを含むイベントリストを記録する記録部と、
各部の動作を制御する制御部と、
を備え、
前記表示部は、前記測定部により測定された生体情報を表示する第１領域と、複数の前記イベントを表示する第２領域と、前記経過時間を表示する第３領域と、を含んで表示可能であり、
前記制御部は、複数の前記イベントのうち実施が完了したイベントを前記第２領域から削除した後、複数の前記イベントのうち前記第２領域に表示されていなかったイベントを前記第２領域に表示させる、生体情報モニタ装置。
【請求項２】
複数の前記イベントには、前記測定部によって測定されている生体情報と関連するイベントが含まれており、
前記制御部は、前記生体情報と関連する前記イベントの設定条件が満たされたとき、当該イベントを前記第２領域から削除する、請求項１に記載の生体情報モニタ装置。
【請求項３】
前記表示部は、更に前記測定部で測定された被検者の生体情報に基づくトレンドを表示する第４領域を表示可能である、請求項１または２に記載の生体情報モニタ装置。
【請求項４】
前記記録部は、複数の前記イベントのうち実施が完了したイベントの履歴を記録し、
前記制御部は、前記イベントの履歴を前記表示部に表示させる、請求項１から３のいずれか一項に記載の生体情報モニタ装置。
【請求項５】
報知部を備え、
前記制御部は、複数の前記イベントのうち実施予定時刻を経過しても実施が完了していないイベントがある場合、前記報知部に警告を報知させる、請求項１から４のいずれか一項に記載の生体情報モニタ装置。
【請求項６】
前記請求項１から５のいずれか一項に記載された生体情報モニタ装置とネットワークを介して接続され、前記生体情報モニタ装置を集中管理するセントラルモニタであって、
前記生体情報モニタ装置に表示される情報が、前記ネットワークを介して、前記生体情報モニタ装置と同じ表示態様で表示される、セントラルモニタ。
【発明の詳細な説明】
【技術分野】
【０００１】
本発明は、被検者の生体情報を測定し、測定した生体情報を表示部に表示する生体情報モニタ装置及びセントラルモニタに関するものである。
【背景技術】
【０００２】
従来、医療従事者は、学会や病院で定めたガイドラインに従って被検者に対して医療処置を行なっている。ガイドラインによれば、例えば被検者の疾病が敗血症と診断された場合、その被検者に対しては迅速かつ的確な医療処置を行なうことが求められる。
【０００３】
一方で、医療従事者は、被検者の生体信号を生体情報モニタ装置によってモニタリングして、被検者の容体を把握している。例えば、特許文献１には、生体情報を被検者から測定し、その生体情報を表示部に表示する生体情報モニタ装置が開示されている。
【先行技術文献】
【特許文献】
【０００４】
【特許文献１】特開２０１１−０９８１８９号公報
【発明の概要】
【発明が解決しようとする課題】
【０００５】
ところで、敗血症の被検者に対する処置が定められたガイドラインは、時系列順に行なうべき処置が長時間にわたり複数定められている。このため、医療従事者は、生体情報モニタ装置の表示画面に表示される生体情報を観察しながら被検者の容体を把握しつつ、ガイドラインに従って各処置を適切に実施できたか否かを記録し次の処置を行わなければならなかった。このため、被検者の処置における医療従事者にかかる負担が大きかった。
【０００６】
そこで、本発明は、被検者に対する処置において医療従事者にかかる負担を軽減することが可能な生体情報モニタ装置及びセントラルモニタの提供を目的とする。
【課題を解決するための手段】
【０００７】
上記目的を達成するために、本発明の生体情報モニタ装置は、
表示部と、
被検者の生体情報を測定する測定部と、
所定の時刻からの経過時間を計測する計測部と、
前記被検者の容体に関連する複数のイベントを含むイベントリストを記録する記録部と、
各部の動作を制御する制御部と、
を備え、
前記表示部は、前記測定部により測定された生体情報を表示する第１領域と、複数の前記イベントを表示する第２領域と、前記経過時間を表示する第３領域と、を含んで表示可能であり、
前記制御部は、複数の前記イベントのうち実施が完了したイベントを前記第２領域から削除した後、複数の前記イベントのうち前記第２領域に表示されていなかったイベントを前記第２領域に表示させる。
【０００８】
この構成によれば、被検者から測定した生体情報、被検者の容体に関連するイベント、および所定の時刻からの経過時間が、生体情報モニタ装置の表示部にまとめて表示される。したがって、医療従事者は、生体情報モニタ装置の表示部の各領域に表示される各情報を見ながら、被検者の容体を把握しつつ次に実施すべき処置の内容を確認することができる。また、実施が完了したイベントは、表示部の第２領域から削除され、実施すべきイベントのみが第２領域に表示される。したがって、医療従事者にとって、イベントリストの表示内容を確認し易くなるとともに表示されたイベントの中から次に実施すべき特定のイベントを見つけ易くなる。このようにして、被検者に対する処置において医療従事者にかかる負担が軽減される。
【０００９】
また、本発明の生体情報モニタ装置において、
複数の前記イベントには、前記測定部によって測定されている生体情報と関連するイベントが含まれており、
前記制御部は、前記生体情報と関連する前記イベントの設定条件が満たされたとき、当該イベントを前記第２領域から削除しても良い。
【００１０】
この構成によれば、リアルタイムで測定している生体情報と関連したイベントについては、設定条件が満たされたときに表示部の第２領域の中からそのイベントの表示が自動的に削除される。このため、医療従事者によるイベントリストの管理が容易になる。
【００１１】
また、本発明の生体情報モニタ装置において、
前記表示部は、更に前記測定部で測定された被検者の生体情報に基づくトレンドを表示する第４領域を表示可能としても良い。
【００１２】
この構成によれば、医療従事者は、被検者から測定された生体情報に基づくトレンドを表示部の第４領域上で確認することができる。このため、医療従事者はトレンドを見ることで処置の効果等を確認したり、被検者の容体の変化をより迅速に確認することができる。このため、医療従事者は、例えば、同程度の優先順位の複数のイベントが第２領域に表示されている場合、最新のトレンドを確認しつつ、次に行なうべきイベント（処置）を判断しやすくなる。
【００１３】
また、本発明の生体情報モニタ装置において、
前記記録部は、複数の前記イベントのうち実施が完了した前記イベントの履歴を記録し、
前記制御部は、前記イベントの履歴を前記表示部に表示させても良い。
【００１４】
この構成によれば、実施が完了したイベントの履歴が記録部に記録されているため、履歴を記録部から読み出して再度、表示部に表示させることができる。これにより、第三者が、実施が完了したイベントの履歴やその内容等を表示部上で事後チェックすることができ、医療処置の作業性を向上させることができる。
【００１５】
また、本発明の生体情報モニタ装置は、報知部を備え、
前記制御部は、複数の前記イベントのうち実施予定時刻を経過しても実施が完了していない前記イベントがある場合、前記報知部に警告を報知させても良い。
【００１６】
この構成によれば、実施予定時刻が過ぎても実施されていないイベントを警告することで、医療従事者に対して注意喚起を促すことができる。
【００１７】
また、本発明のセントラルモニタは、
生体情報モニタ装置とネットワークを介して接続され、前記生体情報モニタ装置を集中管理するセントラルモニタであって、
前記生体情報モニタ装置に表示される情報が、前記ネットワークを介して、前記生体情報モニタ装置と同じ表示態様で表示される。
【００１８】
この構成により、医療従事者は各被検者のところまで移動しなくても各被検者の情報を確認することができる。これにより、医療従事者の作業効率を向上させることができ、医療従事者にかかる負担を軽減することができる。
【発明の効果】
【００１９】
本発明の生体情報モニタ装置及びセントラルモニタによれば、医療従事者にかかる負担を軽減することができる。
【図面の簡単な説明】
【００２０】
【図１】本発明の一実施形態に係る生体情報モニタ装置の構成を示す機能ブロック図である。
【図２】生体情報モニタ装置の表示部に表示される画面の一例を示す図である。
【図３】生体情報モニタ装置の表示部に表示される画面の別例を示す図である。
【図４】生体情報モニタ装置の表示部に表示される画面の別例を示す図である。
【図５】生体情報モニタ装置の表示部に表示される画面の別例を示す図である。
【図６】生体情報モニタ装置の表示部に表示される画面の別例を示す図である。
【図７】生体情報モニタ装置に接続されたセントラルモニタを示す構成図である。
【図８】生体情報モニタ装置の表示部に表示される画面の別例を示す図である。
【発明を実施するための形態】
【００２１】
以下、本発明に係る生体情報モニタ装置及びセントラルモニタの実施形態の一例について、図面を参照して詳細に説明する。
【００２２】
図１は、本実施形態に係る生体情報モニタ装置１の構成を示す機能ブロック図である。
図１に示すように、生体情報モニタ装置１は、測定部２と、計測部３と、記録部４と、報知部５と、表示部６と、これらの各部を制御する制御部７と、を備えている。
【００２３】
生体情報モニタ装置１は、測定部２を介して、被検者２０に装着された電極、カフ等を含む各種のセンサ２１と接続される。生体情報モニタ装置１は、接続された各種のセンサ２１によって生体情報に係る複数種の信号を取得し、取得した信号が生体情報モニタ装置１の測定部２に入力される。取得される信号としては、例えば、心拍数、血圧、呼吸数、体温、脈波、中心静脈圧（ＣＶＰ：Ｃｅｎｔｒａｌ  Ｖｅｎｏｕｓ  Ｐｒｅｓｓｕｒｅ）等が挙げられる。
【００２４】
測定部２は、被検者の生体情報を測定する。測定部２は、センサ２１から入力される信号に基づいて各種の生体情報に係る測定値を取得する。測定部２は、制御部７と通信可能に接続され、取得した生体情報の測定値を制御部７に出力する。
【００２５】
計測部３は、所定の時刻からの経過時間を計測するカウンタによって構成されている。所定の時刻とは、例えば、生体情報モニタ装置１によって被検者の生体情報を測定し始めた時刻のことをいう。生体情報を測定し始めた時点から、カウンタの値をカウントアップすることにより経過時間を計測する。この場合、カウンタ値のカウントアップは、生体情報に係る測定値の取得をトリガーとして自動的に開始される。計測部３は、制御部７と通信可能に接続され、計測した経過時間を制御部７に出力する。
【００２６】
なお、経過時間の計測が開始される所定の時刻は、被検者に対して医療従事者が治療を始めた時刻としても良い。この場合、医療従事者の判断によって治療の開始時刻を決定することができるように、スタートボタンを設けて、医療従事者のボタン操作をトリガーとしてカウンタ値のカウントアップを開始するようにしても良い。また、生体情報を測定し始めた時刻を所定の時刻とするか、あるいは医療従事者が治療を始めた時刻を所定の時刻とするかを、設定で選択できる構成としても良い。これにより、医療従事者における作業性を向上させることができる。
【００２７】
記録部４は、被検者に関する情報を記録する。記録部４は、少なくとも、被検者に対して実施すべきイベントリストと、実施が完了して表示部６から表示が削除されたイベントの履歴と、を記録するように構成されている。本例のイベントとは、被検者の容体に関連する項目であってチェックリスト（Ｔｏｄｏリスト）の一項目に相当するものである。例えば、培養検査の検体である血液を２種類以上採取して検査に出したか否かを確認するためのイベント「培養検体採取２検体以上」や、血液ガス検査を行ったか否かを確認するためのイベント「血液ガス測定」等がある。また、イベントリストとは、学会や病院独自のガイドラインに基づいて、疾病や治療ごとに作成された実施すべきイベントのリストのことをいう。イベントリストには被検者の容体に関連する複数のイベントが含まれる。
【００２８】
報知部５は、イベントを実施すべき予定時刻を経過しても、そのイベントが表示部６から削除されずに表示されている場合、制御部７からの指令により警告として報知する。警告を報知する方法としては、例えば、スピーカから警告音を出力させる。警告音とともに表示部６におけるそのイベントの表示領域を点滅表示させても良い。
【００２９】
表示部６は、生体情報モニタ装置１の前面に設けられ、タッチパネル式の液晶画面によって構成されている。表示部６は、制御部７と通信可能に接続され、制御部７から出力される制御信号によって表示制御される。表示部６は、制御部７からの指令により、複数の表示領域、例えば、第１領域１１、第２領域１２、第３領域１３および第４領域１４を表示可能である。
【００３０】
第１領域１１には、測定部２によって取得された生体情報の測定値が表示される。生体情報の測定値は波形および数値の態様で表示される。第２領域１２には、被検者の容体に関連する複数の実施すべきイベントのうちの少なくとも一つのイベントが表示される。第３領域１３には、計測部３によって所定の時刻から計測された経過時間が表示される。第４領域１４には、測定部２によって測定された被検者の生体情報に関するトレンドと、トレンドの表示に対応したイベントの履歴が表示される。生体情報のトレンドは測定された過去の生体情報、及びリアルタイムで測定されている生体情報に基づいて表示可能である。
【００３１】
制御部７は、ＣＰＵ等の演算素子を含んで構成される演算処理回路である。生体情報モニタ装置１における各部の動作制御は、制御部７の基板等に配置された回路素子等のハードウェアの動作、演算素子に格納されたプログラム等のソフトウェアの動作、あるいはこれらの組合せによって実現され得る。
【００３２】
次に、図２〜図６を参照して、医療従事者が敗血症の被検者に対して処置を行う場合における生体情報モニタ装置１の動作を説明する。
【００３３】
図２に示すように、生体情報モニタ装置１が起動されると、制御部７は、表示部６の正面視において、左３／４程の領域に第１領域１１を表示し、右１／４程の領域に第２領域１２と第３領域１３と第４領域１４とを上下方向に並べて表示させる。さらに第２領域１２は上１／６程の領域に表示させ、第３領域は第２領域１２の下の１／６程の領域に表示させ、第４領域１４は下２／３程の領域に表示させる。
【００３４】
生体情報の測定が開始されると、第１領域１１には、測定部２によって測定された生体情報に係る心拍数３１、心電図３２、血圧値３３、平均血圧値３４、血圧波形３５、ＣＶＰ値３６、ＣＶＰ波形３７等がリアルタイムで表示される。
【００３５】
また、第２領域１２には被検者の疾病である敗血症に関連するイベントリスト４２の一部が表示される。図２では、イベント「培養検体採取２検体以上」４３ａとイベント「血液ガス測定」４３ｂの２個のイベントが表示されている。イベント「培養検体採取２検体以上」４３ａとは、敗血症の感染原因を突き止めるために行う培養検査の検体である血液を２種類以上採取して検査に出したか確認するためのチェック項目である。イベント「血液ガス測定」４３ｂとは、血液ガス検査を行ったか確認するためのチェック項目である。
【００３６】
イベント４３ａの左側に表示された「１：００」の時刻４５は、イベントを実施すべき予定時刻を示しており、経過時間４１における計時が１時間を経過するまでにイベント４３ａを実施すべきことを示している。また、左側に時刻４５が表示されていないイベント４３ｂは、その実施すべき予定時刻が制限されていないことを示している。
【００３７】
また、第３領域１３には生体情報を測定し始めた時刻からの経過時間４１が表示される。図２に示された経過時間４１の数値は、被検者の生体情報を測定し始めてから４分１５秒経過したことを示している。経過時間４１は、生体情報の測定開始時をゼロ（００：００：００）としてカウントアップされる。
【００３８】
また、第４領域１４には、例えば、過去の及びリアルタイムのＰＰＶとＣＶＰとの関係を示すグラフ５１や、測定された複数の生体情報における波形履歴を表すグラフ５２等の生体情報に関するトレンドが表示される。
【００３９】
生体情報の測定が開始された後、医療従事者は、例えば、第２領域１２の表示面積を拡大して表示させることができる。医療従事者が所定の操作をすると、制御部７は、その操作に応じて例えば図３に示すように、表示部６の右１／４程の領域における１／２程の領域に第２領域を表示させる。
【００４０】
第２領域１２の表示面積を図３に示す大きさに変更した場合、第２領域１２に表示されるイベントの数は、図２の第２領域１２に表示されたイベントの数より増加する。図２に示す第２領域１２では２個のイベントしか表示されていないが、図３に示す第２領域１２では８個のイベントが表示されている。第２領域１２には、それまで表示されていなかった残りのイベントの中から優先順位の高い順に選択されたイベントが、既に表示されていたイベント（ここでは図２との対比においてイベント「血液ガス測定」４３ｂ）以降に順次表示される。
【００４１】
すなわち、図３に示す第２領域には、残りのイベントの中から選択された「原因菌確定」４３ｃ，「ソースコントロール」４３ｄ，「心エコー評価」４３ｅ，「ＣＶＰ挿入」４３ｆ，「平均血圧＞６５ｍｍＨｇ」４３ｇ，「ＣＶＰ＞８ｍｍＨｇ」４３ｈのイベントが、イベントリスト４２Ａに表示される。その結果、合計８個のイベントが、実施すべき優先順位の高いものから順に上から下へと並べて表示される。
【００４２】
なお、イベント「原因菌確定」４３ｃとは、イベント「培養検体採取２検体以上」４３ａの検査の結果に基づいて敗血症の原因菌を確定できたか確認するためのチェック項目である。イベント「ソースコントロール」４３ｄとは、イベント「原因菌確定」４３ｃで確定された原因菌の治療を開始したか確認するためのチェック項目である。イベント「心エコー評価」４３ｅとは、心エコーの検査を行って心機能を評価したか確認するためのチェック項目である。イベント「ＣＶＰ挿入」４３ｆとは、ＣＶＰを測定するためのカテーテルを大静脈に挿入したか確認するためのチェック項目である。イベント「平均血圧＞６５ｍｍＨｇ」４３ｇとは、平均動脈血圧の値を６５ｍｍＨｇ以上に保つように輸液管理を行ったか確認するためのチェック項目である。イベント「ＣＶＰ＞８ｍｍＨｇ」４３ｈとは、ＣＶＰの値を８ｍｍＨｇ以上に保つように輸液管理を行ったか確認するためのチェック項目である。
【００４３】
また、イベント４３ｆ〜４３ｈの左側に表示された「６：００」の時刻４５は、経過時間４１における計時が６時間を経過するまでにイベント４３ｆ〜４３ｈを実施すべきことを示している。また、時刻４５が表示されていないイベント４３ｂ〜４３ｅについては、実施する優先順位は定められているもののその実施予定時刻が制限されていないことを示している。
【００４４】
また、生体情報の測定が開始された後、医療従事者は、実施が完了したイベントを第２領域１２から削除することができる。例えば第２領域１２に表示されている各イベントの表示領域を操作者がタッチして選択すると、選択されたイベントが第２領域から削除される。そして、上述のようにしてイベントが削除された場合、削除されたイベントの次に優先順位が高いイベントが第２領域１２に追加で表示される。すなわち、削除されたイベントよりも下側の位置に表示されていたイベントは、順次繰り上げて表示される。そして、それまで表示されていなかったイベントの中で優先順位が最も高いイベントが第２領域１２に表示されるイベントリスト４２Ａの一番下の位置に追加で表示される。
【００４５】
また、医療従事者は、第２領域１２に、被検者に対して処置する必要のないイベントが表示されていると判断した場合、そのイベントの×部分の削除部４６をタッチすることで、そのイベントを第２領域から削除することができる。
【００４６】
また、生体情報の測定が開始された後、第２領域１２に表示される複数のイベントのうち測定部２を介してセンサ２１によって測定されている生体情報と関連するイベントについては、所定の設定条件が満たされたときにイベントリスト４２Ａから自動的に削除される。例えば、第２領域１２に表示されたイベントのうちイベント「ＣＶＰ挿入」４３ｆ、イベント「平均血圧＞６５ｍｍＨｇ」４３ｇ、及びイベント「ＣＶＰ＞８ｍｍＨｇ」４３ｈは、測定部２でリアルタイムに測定されている生体情報と関連するイベントである。
【００４７】
このうちイベント「ＣＶＰ挿入」４３ｆの場合について説明する。被検者にカテーテルが挿入されるとＣＶＰの測定が開始されて、第１領域１１のＣＶＰ値３６に測定数値が表示されるとともにＣＶＰ波形３７に測定波形が表示される。医療従事者が、生体情報モニタ装置１に対して、ＣＶＰの数値及び波形が測定される（第１領域１１に表示される）という設定条件をイベント「ＣＶＰ挿入」４３ｆの実施完了の条件として予め設定しておくことにより、この条件が満たされたときにイベントの実施が完了したと自動的に判断し「ＣＶＰ挿入」４３ｆの表示が第２領域１２から自動的に削除される。
【００４８】
また、イベント「平均血圧＞６５ｍｍＨｇ」４３ｇについても同様に、測定されている平均血圧値が所定の時間継続して６５ｍｍＨｇ以上に保たれたという設定条件をイベント「平均血圧＞６５ｍｍＨｇ」４３ｇの実施完了の条件として予め設定しておくことにより、この条件が満たされたときにイベントの実施が完了したと自動的に判断し「平均血圧＞６５ｍｍＨｇ」４３ｇの表示が第２領域１２から自動的に削除される。
【００４９】
また、イベント「ＣＶＰ＞８ｍｍＨｇ」４３ｈについても同様に、測定されているＣＶＰ値が所定の時間継続して８ｍｍＨｇ以上に保たれたという設定条件をイベント「ＣＶＰ＞８ｍｍＨｇ」４３ｈの実施完了の条件として予め設定しておくことにより、この条件が満たされたときにイベントの実施が完了したと自動的に判断し「ＣＶＰ＞８ｍｍＨｇ」４３ｈの表示が第２領域１２から自動的に削除される。
【００５０】
制御部７は、上記のように、手動または自動的に第２領域１２から削除されたイベントの履歴を記録部４に記録させる。
【００５１】
上述のようにしてイベントが自動で削除された場合も手動で削除した場合と同様に、削除されたイベントの次に優先順位が高いイベントが第２領域１２に追加で表示される。すなわち、削除されたイベントよりも下側の位置に表示されていたイベントは、順次繰り上げて表示される。そして、それまで表示されていなかったイベントの中で優先順位が最も高いイベントが第２領域１２に表示されるイベントリスト４２Ａの一番下の位置に追加で表示される。
【００５２】
また、図４に示すように、医療従事者は、さらに第２領域１２の表示面積を拡大して表示させることができる。医療従事者が所定の操作をすると、制御部７は、その操作に応じて例えば図４に示すように、第４領域１４を削除して第２領域１２を下側に拡大する。そして、第２領域１２に表示されるイベントの数が増加する。第２領域１２には、上記と同様に優先順位の高い順に選択されたイベントが、既に表示されていたイベント（ここでは図３との対比においてイベント「ＣＶＰ＞８ｍｍＨｇ」４３ｈ）以降に順次表示される。図４に示す第２領域１２に表示されるイベントリスト４２Ｂには、選択された「尿量＞０．５ｍｌ／ｋｇ／ｈ：□ｍｌ／ｋｇ／ｈ」４３ｉ，「ＳｃｖＯ２＞７０％：□％」４３ｊ，「代謝性アシドーシス改善」４３ｋ，「血中乳酸値正常化」４３ｌのイベントが追加されている。その結果、合計１２個のイベントが第２領域１２に表示される。第２領域１２に表示される１２個のイベントも上記と同様に実施すべき優先順位の高いものから表示されている。
【００５３】
なお、さらに追加で表示されたイベント「尿量＞０．５ｍｌ／ｋｇ／ｈ：□ｍｌ／ｋｇ／ｈ」４３ｉとは、被検者の体重１ｋｇにおける１時間あたりの尿量を０．５ｍｌ以上に保つように管理されているか確認するためのチェック項目である。イベント「ＳｃｖＯ２＞７０％：□％」４３ｊとは、中心静脈血酸素飽和度（ＳｃｖＯ２）の値が７０％以上に保たれているか確認するためのチェック項目である。これらのイベントは、本例の生体情報モニタ装置１では測定できない生体情報に関する処置の一例である。その他、イベント「代謝性アシドーシス改善」４３ｋとは、代謝を原因とする酸塩基平衡の酸化状態が改善されるように管理されているか確認するためのチェック項目である。イベント「血中乳酸値正常化」４３ｌとは、血中乳酸値の値が改善され、正常値に近づくように管理されているか確認するためのチェック項目である。
【００５４】
また、イベント４３ｉ〜４３ｌの左側に表示された「６：００」も上記と同様に経過時間４１における計時が６時間を経過するまでに各イベントの実施を完了すべきことを示している。
【００５５】
図５に示すように、医療従事者は、表示部６のイベントリスト４２Ｃにおいて、イベント「尿量＞０．５ｍｌ／ｋｇ／ｈ：□ｍｌ／ｋｇ／ｈ」４３ｉ及びイベント「ＳｃｖＯ２＞７０％：□％」４３ｊの空欄部分である□部６１に対して、測定値を外部から入力することができる。これらのイベントの測定値は、本例の測定部２では測定できない測定値であるため、生体情報モニタ装置１とは別の装置によって測定される。
【００５６】
医療従事者が、イベント４３ｉ，４３ｊの表示領域内の□部６１をタッチすると、第２領域１２上に入力画面６２が重ねて表示される。そして、医療従事者が測定されたイベントの測定値を数値キー６３で入力すると、入力された数値が表示領域６４に表示される。そして、医療従事者が入力キー６５をタッチすることにより、入力した測定値がそのイベントの□部６１に表示される値として確定し、一連の入力操作が完了する。
【００５７】
図６は、被検者の生体情報を測定し始めてから１時間経過したときの表示部６を示している。イベント「培養検体採取２検体以上」４３ａは実施すべき時刻が「１：００」に設定されている。本例では、生体情報の測定が開始されてから１時間が経過してもイベント「培養検体採取２検体以上」４３ａは削除されていないため、制御部７は、イベント「培養検体採取２検体以上」４３ａの実施が完了していないと判定して、そのイベントの表示領域を点滅表示させる。さらに、報知部５がスピーカから警告音を出力させても良い。
【００５８】
また、医療従事者は、図６に示すように、第４領域１４の表示面積を拡大あるいは変形して表示させることができる。医療従事者が所定の操作をすると、制御部７は、その操作に応じて例えば図６に示すように、第１領域の下側を縮小し、第４領域１４を第１領域１１の下側に拡大して表示させている。
【００５９】
そして、表示面積が拡大された第４領域１４には、測定部２によって測定された生体情報の複数種の波形の履歴５３が測定時間５４とともに表示されている。また、実施が完了して第２領域１２から削除されたイベントの履歴が、波形の履歴５３の表示に対応して、例えば縦バー５５，５６によって表示されている。イベントの履歴の内容は、縦バーをタッチすることによって表示させることができる。図６では、縦バー５６をタッチした場合が示されており、そのタッチにより内容表示部５７に履歴の内容として、イベント「抗菌薬投与」の実施を１５時２２分に完了した旨が表示されている。
【００６０】
ところで、従来、医療従事者は、生体情報モニタ装置の表示画面に表示される生体情報を観察しながら被検者の容体を把握しつつ、ガイドラインに従って各処置を適切に実施できたか否かを医療従事者自身のノートや別のシステムに保管された情報等を用いて管理している。しかしながら、例えば敗血症の被検者に対する処置が定められたガイドラインは、時系列順に行なうべき処置が長時間にわたり複数定められている。このため、ガイドラインに基づく処置の進捗状況や、被検者の生体情報、及び計測時間等を全て管理することは非常に負担が大きかった。また、医療従事者がガイドラインに従って全ての処置を実施できたか否かは、医療従事者の経験に依存するところが大きく、処置の内容にばらつきが生じる場合もあった。また、各処置を適切に実施できたか否かのチェック方法を統一できないため、第三者による事後チェックが困難な場合もあった。
【００６１】
また、各被検者から取得された情報を収集するシステムによって管理する方法も考えられるが、システムによる管理では被検者の生体情報をリアルタイムで表示できない。したがって、医療従事者は、システムの表示画面だけでは、被検者の現在の容体を判断することができず、ガイドラインに沿って次に行なうべき処置を迅速に判断することが難しい。
【００６２】
これに対し、本実施形態の生体情報モニタ装置１によれば、被検者から測定した生体情報、被検者に対して実施すべきイベント、及びイベントの実施時間を管理するための経過時間が、１台の生体情報モニタ装置１の表示部６に表示されている。したがって、医療従事者は、生体情報モニタ装置１の表示部６の各領域に表示される各情報を見ながら、被検者の容体を把握しつつ次に実施すべき処置の内容を確認することができる。
【００６３】
また、実施が完了したイベント及び実施する必要のないイベントは、医療従事者の操作に基づいてあるいは自動的に表示部６の第２領域１２に表示されているイベントリストから削除される。このため、実施すべきイベントのみが表示部６の第２領域１２に表示されるため、イベントリストの表示内容を確認し易くできるとともに表示されたイベントの中から次に実施すべき特定のイベントを見つけ易くなる。
【００６４】
また、表示部６の第２領域１２においては、実施すべき優先順位の高いイベントが上から順番に表示され、上記のようにイベントが削除された場合には、次に優先順位の高いイベントが第２領域１２に加えて表示される。このとき、イベントの削除に伴い、第２領域１２に表示されているその他のイベントが順次繰り上がるとともにそれまで表示されていなかった残りのイベントの中から次に実施すべき優先順位の高いイベントが選択されて、第２領域１２に追加表示される。このため、イベントリストは常に優先順位の高いイベントから順に表示されるので、実施すべきイベントを正確かつ迅速に認識することができる。
【００６５】
また、リアルタイムで測定している生体情報と関連したイベントについては、予め設定された条件が満たされたときに表示部６の第２領域１２から自動的に削除されるので、医療従事者によるイベントリストの管理が容易になる。
【００６６】
また、医療従事者は、被検者から測定された生体情報に基づくトレンドを表示部６の第４領域１４上で確認することができる。このため、医療従事者は被検者に対する処置の状況、処置の効果等を認識することができ迅速な診断を行えるようになる。さらに、トレンドを構成する生体情報にはリアルタイムで測定された生体情報も含まれているので、最新のトレンドを確認することができ、被検者の容体の変化をより迅速に認識することができる。例えば、同程度の優先順位の複数のイベントが第２領域１２に表示されている場合、最新のトレンドを確認しつつ、次に行なうべきイベント（処置）を判断しやすくなる。
【００６７】
また、表示部６の第２領域１２から削除されたイベントは、その履歴が記録部４に記録されているため、履歴情報を記録部４から読み出して再度、表示部６に表示させることができる。これにより、第三者が、実施が完了したイベントの履歴やその内容等を表示部６上で事後チェックすることができ、医療処置の作業性を向上させることができる。
【００６８】
また、実施予定時刻が過ぎても実施されていないイベントを点滅表示等によって警告することで、医療従事者に対して注意喚起を促すことができる。
また、生体情報モニタ装置１では測定できない生体情報に関するイベントについては、外部の測定器によって測定した値を第２領域１２に表示されるイベントの空欄に入力可能な構成としたので、生体情報モニタ装置１で測定できないデータについてもまとめて管理することができる。
【００６９】
また、第４領域１４の表示面積を必要に応じて拡大あるいは変形して表示することができるので、生体情報の波形の視認性を高めることができる。これにより、実施したイベントの履歴と生体情報の波形との関係を容易に確認することができる。
【００７０】
以上のようなことから、被検者への医療処置における医療従事者にかかる負担を軽減することができる。
【００７１】
次に、図７を参照して、セントラルモニタ７１の例を説明する。セントラルモニタ７１は、ネットワーク７２を介して複数台の生体情報モニタ装置１，１Ａ，１Ｂ，１Ｃと接続されている。
【００７２】
セントラルモニタ７１は、ナースステーション、医師の控室等に設置されて、各被検者の生体情報を集中管理することができるモニタである。セントラルモニタ７１には、各生体情報モニタ装置１，１Ａ，１Ｂ，１Ｃで表示される全ての情報がネットワーク７２を介して送信される。これにより、セントラルモニタ７１は上述した生体情報モニタ装置１と同様の機能を有する。
【００７３】
また、セントラルモニタ７１は、各生体情報モニタ装置１，１Ａ，１Ｂ，１Ｃで測定された各被検者の生体情報を、セントラルモニタ７１の表示部上に各モニタ装置と同様の表示態様で表示することも、あるいは同時に表示することも可能である。また、表示部に表示した各被検者のイベントリストを、簡単な切換操作により他の被検者のイベントリストに切り替えて表示することも可能である。このため、医療従事者は各被検者のところまで移動しなくても各被検者の情報を確認することができる。これにより、医療従事者の作業効率を向上させることができ、医療従事者にかかる負担を軽減することができる。
【００７４】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００７５】
上記の例では、被検者の疾病が敗血症の場合について説明したが、これに限定されず、被検者の脳死判定、人工呼吸器の離脱判定等に適用させても良い。また、図８に示すように、第４領域１４は、第１領域１１に重ねて表示するポップアップ画面によって表示することができるようにしても良い。
また、図６において、縦バー５５，５６等をタッチして表示させるイベントの履歴の内容としては、医療従事者が実施を完了してイベントを削除したのか、実施の必要が無いと判断して削除したのか、自動的に削除されたのか等を表示するようにしても良い。
【符号の説明】
【００７６】
１，１Ａ〜１Ｃ：生体情報モニタ装置、２：測定部、３：計測部、４：記録部、５：報知部、６：表示部、７：制御部、１１：第１領域、１２：第２領域、１３：第３領域、１４：第４領域、２１：各種センサ、３３：血圧値、３４：平均血圧値、３６：ＣＶＰ値、４１：経過時間、４２，４２Ａ〜４２Ｃ：イベントリスト、４３ａ〜４３ｌ：イベント、４５：時刻、４６：削除部、５１，５２：グラフ、５３：履歴、５５，５６：縦バー、７１：セントラルモニタ、７２：ネットワーク
【図１】
2015084876.tif 000003
【図２】
2015084876.tif 000004
【図３】
2015084876.tif 000005
【図４】
2015084876.tif 000006
【図５】
2015084876.tif 000007
【図６】
2015084876.tif 000008
【図７】
2015084876.tif 000009
【図８】
2015084876.tif 000010